(57)【要約】【課題】  受付カウンターや講演台等に適したものであって、軽量であり、コンパクトに折りたため、しかも曲面を多用したものが設計しやすい台構造を提供する。【解決手段】  少なくとも、背板部材、天板部材、底板部材、及び壁体部材とにより成る台構造であって、該天板部材及び該底板部材は垂直状態から水平状態まで回動できるようそれぞれの後端は、該背板部材に対して可回動に取設されており、且つこれらを水平状態にした時の、該天板部材の周縁下面側及び該底板部材の周縁上面側にはレール溝が形成されており、また該壁体部材は厚さが０．３ｍｍ以上の硬質プラスチックシートであり、水平状態で対向することとなる一対の該レール溝に嵌め込む形で、該背板部材以外の側面周囲を取り囲むもの。【選択図】  図１
2014188000.tif 000002
【特許請求の範囲】
【請求項１】
少なくとも、背板部材、天板部材、底板部材、及び壁体部材とにより成る台構造であって、該天板部材及び該底板部材は垂直状態から水平状態まで回動できるようそれぞれの後端は、該背板部材に対して可回動に取設されており、且つこれらを水平状態にした時の、該天板部材の周縁下面側及び該底板部材の周縁上面側にはレール溝が形成されており、また該壁体部材は厚さが０．３ｍｍ以上の硬質プラスチックシートであり、水平状態で対向することとなる一対の該レール溝に嵌め込む形で、該背板部材以外の側面周囲を取り囲むものであることを特徴とする組立式台構造。
【発明の詳細な説明】
【技術分野】
【０００１】
本発明は、受付カウンターや講演台等に適した、組立式台の構造に関する。
【背景技術】
【０００２】
受付カウンターや講演台には、常時固定的に設置されたものもあるが、普段は倉庫・物置等に保管しておき必要時のみ取り出してくる、というものも多い。従って、軽量であることが求められるし、コンパクトに折りたためるものが好ましい。
【０００３】
元来このような台は、説明や案内のための書類を置いておくための設備であると言えるが実際には、頑丈さを備えているかどうかは重要でなく、受付担当者や講演者の足もとを隠すこと、或いは彼らの立つ場所を明確にすること（例えば受付がどこにあるのかをアピールすること）、更には美麗であることが主目的であるということが多い。
【発明の概要】
【発明が解決しようとする課題】
【０００４】
そこで、人目を引きしかも軽量で取り扱いのしやすい台構造としてどのようなものが提供できるのかという研究開発に着手した。着手当時は、四脚テーブルの脚部分を三面分だけ壁体で覆うという構造（学校の教壇に見られるような構造）を念頭に、これをいかにコンパクトにできるかに目を向けていたが、四本の脚を壁が取り囲むという構造の場合、基本的に直方体とならざるを得ず、柔らかな曲面が得にくいものであったし、斬新さが演出できるようなものとはならなかった。
【課題を解決するための手段】
【０００５】
そこで本発明者は、この点に鑑み鋭意研究の結果遂に本発明を成したものであり、その特徴とするところは、少なくとも、背板部材、天板部材、底板部材、及び壁体部材とにより成る台構造であって、該天板部材及び該底板部材は垂直状態から水平状態まで回動できるようそれぞれの後端は、該背板部材に対して可回動に取設されており、且つこれらを水平状態にした時の、該天板部材の周縁下面側及び該底板部材の周縁上面側にはレール溝が形成されており、また該壁体部材は厚さが０．３ｍｍ以上の硬質プラスチックシートであり、水平状態で対向することとなる一対の該レール溝に嵌め込む形で、該背板部材以外の側面周囲を取り囲むものである点を特徴とする。
【０００６】
即ち本発明は、棒状体としての支柱を欠く台構造であって、１枚のプラスチックシートを屈曲させて配置したことによって、これに支柱の役目を担わせるものである。プラスチックシートが屈曲しているということは、壁面構造を曲面とすることができることを意味し、これにより、独創的な造形の台を得ることが容易になる。
【０００７】
ここで背面部材とは、来客・聴衆等から見えない側の一面、即ち受付担当者や講演者が立つ位置側を構成する部材である。１枚の平板であっても良いが、開閉扉を伴うものであれば台の内部に、出し入れ自在な収納空間が形成されるので好ましい。
【０００８】
天板部材及び底板部材は、組み立て完成時に文字通り「天板」「底板」として機能する部材である。背面部材にこれら天板部材及び底板部材それぞれの後端を可回動に取設しており、組み立て時のみ天板部材及び底板部材が背面部材に対して直角（即ち水平）となるようにし、保管時或いは搬送時には背面部材に添うような形で畳まれている。
【０００９】
また、水平にした状態で該天板部材の周縁下面側及び該底板部材の周縁上面側にはレール溝が形成されている。つまり天板部材のレール溝と底板部材のレール溝とは、これらを水平状態にした時対向することになる。
【００１０】
壁体部材は、１枚のプラスチックシートで構成されている。台構造を直方体とみなした場合、背面は背面部材で構成され、正面及び左右側面に関してはこの壁体部材によって構成されることになる。これを１枚のプラスチックシートで可能とするため、壁体部材を形成するプラスチックシートには可撓性が求められる。どの程度の可撓性が適しているのかに関しては本発明において限定しない。例えば組み立て後の台の形状が半円柱であって、その半円周を壁体部材が構成し、半円柱の鉛直平面を背面部材が構成するという場合には曲率半径が大きいため、求められる可撓性は小さい。しかし、直方体に近い形状とした場合には鉛直稜線部分を小さな曲率半径で屈曲させなければならないのでより大きな可撓性が求められる。
【００１１】
また壁体部材は、組み立て後の台の形状維持を司るものでもあるので、鉛直方向荷重に対する強度を有している必要がある。但し、壁体部材は鉛直を保ったまま屈曲させるものであるので強度の確保は容易である。即ち本発明における壁体部材は、柔軟なプラスチック（例えばシリコーン樹脂やポリ塩化ビニル等）よりも硬質プラスチック（ポリプロピレンやポリエチレン等）の方が耐鉛直荷重強度という点で好ましく、薄いものの方が可撓性という点で好ましい。そこで本発明者は、壁体部材の材質として厚さが０．１ｍｍ以上の硬質プラスチックシートを採用するものとした。
【００１２】
壁体部材は、来客・聴衆等が目にする外観の主要部であるので、ここに各種情報或いは写真・模様等を印刷すると訴求力が増し、好適な台構造となる。更に、プラスチックシートに光透過性を有するものを採用し、台内部に照明設備を付帯させておくと、より斬新で好適なものとなる。但し、壁体部材への印刷或いは照明設備の付帯は、本発明を限定するものではない。
【発明の効果】
【００１３】
本発明に係る組立式台構造は、以下述べる如き効果を有する極めて高度な発明である。
（１）  組み立て式であるので、保管・搬送が小容積となる。
（２）  天板、底板などを水平位置まで回動させ、レールに壁体部材を嵌め込むだけで設置できるものであり、組み立てが極めて簡単である。
（３）  台構造であるが前面側に支柱が存在しないので、半円柱状の台や大きな丸みを持たせる構造とすることが容易であるので、斬新な構造としやすい。
【図面の簡単な説明】
【００１４】
【図１】本発明に係る組立式台構造の一例（但し壁体部材は描出していない）を示す概略斜視図である。
【図２】本発明に係る組立式台構造の一例（但し壁体部材は描出していない）の、折り畳まれた状態を示す概略斜視図である。
【図３】本発明に係る組立式台構造の一例（但し壁体部材は描出していない）の、底板部材を開いた状態を示す概略斜視図である。
【図４】本発明に係る組立式台構造の一例（但し壁体部材は描出していない）を、底板部材を開いた状態から更に、天板部材及び棚部材を開いている状態を示す概略斜視図である。
【図５】本発明に係る組立式台構造の一例として金具を設けたものを示すための要部概略斜視図である。
【図６】天板部材及び底板部材に設けられたレール溝に壁体部材を嵌め込んだ状態を示す概略断面図である。
【図７】本発明に係る組立式台構造の一例の、組み立て作業完成直前の状態を示す概略斜視図である。
【発明を実施するための形態】
【実施例１】
【００１５】
図１は、本発明に係る組立式台構造１（以下「本発明台１」という）の一例を示す概略斜視図である。なお本例の本発明台１は受付カウンターとして使用するものである。
図より明らかなように本例の本発明台１は、背板部材２と、これに連結されている天板部材３と底板部材４と棚部材５、及び本図に描出はしていないが、これらとは別体の壁体部材６とにより構成されている。
【００１６】
背板部材２は、受付担当者の着席又は待機位置側に歯位置される部材であって、本例の場合、内部空間に書類等を出し入れするために開口部２１を開けている。この開口部２１を扉で覆うようにしても良い（図示せず）。
【００１７】
天板部材３・底板部材４・棚部材５はいずれも、それぞれ背板部材２に可回動に取設されている。これにより、保管や搬送の際の容積を小さくすることができる。
以下図２乃至図７によって、各部材が畳まれた状態（図２）から、組み立て作業完了直前（図７）までの一例を、経時的且つ概略的に示す。
【００１８】
完全に畳まれた状態（図２）では正面側には、天板部材３と底板部材４が見えている。組み立ては、これら天板部材３・底板部材４を回動させることから始める。なお、背板部材２の上端には出没自在な取っ手２２（図では完全に出ていない）が、下端にはキャスター（図では明らかでない）が設けられている。これは図２の状態で人力によって持ち運びするための部材であるが、本発明に必須の部材ではない。
図３は、底板部材４を開いた状態を示すものである。この段階で本発明台１は、自立するものとなる。
【００１９】
その後天板部材３と棚部材５を開いてやる（図４）。本例の場合、天板部材３と棚部材５それぞれの前両端付近を、線材５１（本例ではポリエチレン製の糸を用いたが、他のプラスチック糸、或いはピアノ線等を使用しても良い）で連結し、共動するようにした。
これにより、天板部材３を開いてやると自動的に棚部材５も平行を保って開くことになる。
【００２０】
天板部材３と底板部材４を組み立てる際には、まず背板部材２に対して直角になるよう回動させる。本例の場合、観音開き（綴じた状態で天板部材３と底板部材４を突き合う形）の回動をする。但し、背板部材２の高さが短い場合には、折り畳み時には突き合うことはなく重複するし、高さが長い場合には突き合わせ間隙が大きくなる（図示せず）。
【００２１】
天板部材３・底板部材４・棚部材５を回動させ、背板部材２に対して直角となる位置でこれらを保持させるために、金具７（折り畳み式棚受金具として市販されているもの）を取設している。この金具７を図５に示す。
【００２２】
天板部材３と底板部材４には、それぞれその周囲にレール溝３１、４１が設けられている。天板部材３・底板部材４・棚部材５を組み立てた状態で、レール溝３１と４１は、図６に示すように対向しており、これらの溝に壁体部材６を嵌め込んでゆく。レール溝３１・４１は、天板部材３又は底板部材４の周囲を「コ」字形に囲んでいるので、壁体部材６は相応の可撓性を有している必要がある。壁体部材６をレール溝３１に嵌め込んでいる状態を図７に示す。
壁体部材６として本例では、厚さ１ｍｍのポリプロピレンシートを用いたが、曲げやすく耐荷重性のある材料であれば何を採用しても良い。例えばポリエチレンテレフタレート（ＰＥＴ）、ポリ塩化ビニル、等々が該当する。
【００２３】
また、図面には示していないが、壁体部材６表面に告知、案内、広告等のための印刷を施しておくようにしても良い。壁体部材６は、他の部材と異なり別体の部材であるので、意匠変更の際にはこの壁体部材６の交換だけで済む。
更に、プラスチック材料が光透過性を有する場合には、内部空間に照明器具を設けておき、ライトアップするようにしても良い（図示せず）。
【符号の説明】
【００２４】
１    本発明に係る組立式展示台
２    背板部材
２１  開口部
２２  取っ手
３    天板部材
３１  レール溝
４    底板部材
４１  レール溝
５    棚部材
５１  線材
６    壁体部材
７    金具
【図１】
2014188000.tif 000003
【図２】
2014188000.tif 000004
【図３】
2014188000.tif 000005
【図４】
2014188000.tif 000006
【図５】
2014188000.tif 000007
【図６】
2014188000.tif 000008
【図７】
2014188000.tif 000009